(57)【要約】【課題】  化粧品、薬剤等に更なる機能を付加する。【解決手段】  化粧品、薬剤等を電気分解して被塗布対象に供給する。電気分解は所定時間間隔で電極に加える電力の極性を切替えて行うことが好ましい。供給方法は電気分解した化粧品又は薬剤を噴霧して被塗布対象に供給することが好ましい。噴霧手段としては多孔板を取付けたピエゾ振動子を用いることが好ましい。【選択図】  なし【特許請求の範囲】
【請求項１】
化粧品又は薬剤を電気分解して被塗布対象に供給することを特徴とする化粧品又は薬剤の供給方法。
【請求項２】
前記電気分解した化粧品又は薬剤の供給を超音波振動を用いて噴霧することにより行う請求項１に記載の化粧品又は薬剤の供給方法。
【請求項３】
前記電気分解した化粧品又は薬剤の供給を多孔板を取付けたピエゾ振動子を超音波振動させて噴霧することにより行う請求項２に記載の化粧品又は薬剤の供給方法。
【請求項４】
化粧品又は薬剤が、相互に溶解しない２以上の成分に相分離するものである請求項１乃至３の何れかに記載の化粧品又は薬剤の供給方法。
【請求項５】
化粧品又は薬剤が、同一容器に収納できずに２以上に分包してあり、使用時に混合するものである請求項１乃至３の何れかに記載の化粧品又は薬剤の供給方法。
【請求項６】
電気分解が、電解槽の両電極に印加する電圧の極性を所定時間間隔で切替える請求項１乃至５の何れかに記載の化粧品又は薬剤の供給方法。
【請求項７】
化粧品又は薬剤を収納する少なくとも１つの供給タンクと、前記化粧品又は薬剤を電解槽に供給する圧送装置と、内部に互いに対向する少なくとも一対の電極を備えた流通型電解槽と、電解槽で電気分解した化粧品又は薬剤を被塗布対象に供給する手段と、圧送装置と電解槽と電解槽で電気分解した化粧品又は薬剤を被塗布対象に供給する手段との作動を制御する制御部と、これらの駆動電源とを有する化粧品又は薬剤の供給装置。
【発明の詳細な説明】
【技術分野】
【０００１】
本発明は、化粧品、サニタリー製剤、その他の薬剤を、例えば皮膚等の被塗布対象に供給して塗布する方法に関する。
【背景技術】
【０００２】
従来、化粧品、サニタリー用薬品等の薬剤は、各種の基材、薬剤等を所定の割合で配合して容器詰されている。これら化粧品や薬剤等を使用する際には、皮膚、目的とする器具等の被塗布対象に直接塗布したり、噴霧したりしている。この場合、化粧品や薬剤は、塗布又は噴霧されて、その化粧品や薬剤が有する本来の効能を発揮する。
【０００３】
しかし、これらの効能は、本来予定されている効能の範囲内のものであり、それを超える効能を期待することはできない。
【０００４】
特許文献１には、電解質水溶液を電気分解して、得られる電解水を噴霧する電解水噴霧装置が記載されている。しかし、この装置は、皮膚等に効用を示す電解水を噴霧するものであり、人体の他の部位に噴霧することまでは考えていなかった。
【特許文献１】特開２００２−５２０６９号公報（特許請求の範囲）
【発明の開示】
【発明が解決しようとする課題】
【０００５】
本発明者らは、電気分解の作用を検討している内に、化粧品や各種薬剤を電気分解することにより、各種の新しい作用効果を化粧品や薬剤に付加できることを見出した。本発明は上記発見に基づいて完成するに至ったもので、その目的とするところは、本来有する効能に加えて、更に各種の新たな効能を示す化粧品、薬剤の供給方法を提供することにある。
【課題を解決するための手段】
【０００６】
上記目的を達成する本発明は、以下に記載するものである。
【０００７】
〔１〕  化粧品又は薬剤を電気分解して被塗布対象に供給することを特徴とする化粧品又は薬剤の供給方法。
【０００８】
〔２〕  前記電気分解した化粧品又は薬剤の供給を超音波振動を用いて噴霧することにより行う〔１〕に記載の化粧品又は薬剤の供給方法。
【０００９】
〔３〕  前記電気分解した化粧品又は薬剤の供給を多孔板を取付けたピエゾ振動子を超音波振動させて噴霧することにより行う〔２〕に記載の化粧品又は薬剤の供給方法。
【００１０】
〔４〕  化粧品又は薬剤が、相互に溶解しない２以上の成分に相分離するものである〔１〕乃至〔３〕の何れかに記載の化粧品又は薬剤の供給方法。
【００１１】
〔５〕  化粧品又は薬剤が、同一容器に収納できずに２以上に分包してあり、使用時に混合するものである〔１〕乃至〔３〕の何れかに記載の化粧品又は薬剤の供給方法。
【００１２】
〔６〕  電気分解が、電解槽の両電極に印加する電圧の極性を所定時間間隔で切替える〔１〕乃至〔５〕の何れかに記載の化粧品又は薬剤の供給方法。
【００１３】
〔７〕  化粧品又は薬剤を収納する少なくとも１つの供給タンクと、前記化粧品又は薬剤を電解槽に供給する圧送装置と、内部に互いに対向する少なくとも一対の電極を備えた流通型電解槽と、電解槽で電気分解した化粧品又は薬剤を被塗布対象に供給する手段と、圧送装置と電解槽と電解槽で電気分解した化粧品又は薬剤を被塗布対象に供給する手段との作動を制御する制御部と、これらの駆動電源とを有する化粧品又は薬剤の供給装置。
【発明の効果】
【００１４】
本発明に於いては、化粧品や薬剤が乳化形態で構成されている場合には、これを電気分解することにより、乳化している乳化粒子の乳化状態をより好ましいものにでき、これにより被塗布対象に更に均一に化粧品等を塗布できる。その結果薬剤等の皮膚内への浸透速度が高まる。また、乳化剤の使用量を減少できる。更に、電気分解することにより化粧品等の温度が高まると共にその粘度が低下するので、これを噴霧により塗布する場合は、噴霧しやすくなる。また、電気分解をすることにより、化粧品等の酸化、還元反応を起すことができ、これにより化粧品の活性を高めることができる。
【発明を実施するための最良の形態】
【００１５】
本発明に於いて、電気分解をする対象物としては、化粧品及び薬剤（以下、これらを単に化粧品等と略記することがある。）がある。
【００１６】
具体的には、人や動物の皮膚に供給して塗布する化粧品等としては、コロン、日焼止クリーム、日焼止薬剤、消毒用薬剤、殺菌用薬剤、やけど用薬剤、トイレにおける排泄後の洗浄等を例示できる。
【００１７】
毛髪に供給する化粧品等としては、染め毛剤、パーマネント剤、寝ぐせ直し剤、シャンプー、リンス、トリートメント等を例示できる。
【００１８】
睫毛に供給する化粧品等としては、睫毛用カール薬剤等がある。
【００１９】
頭皮用化粧品等としては、養毛剤、育毛剤、トニック等がある。
【００２０】
眼球用化粧品等としては、眼球消毒洗浄剤等がある。
【００２１】
口腔内に供給する化粧品等としては、口腔内消毒剤、口内炎治療剤、歯磨剤、歯用マニキュア等がある。
【００２２】
爪に供給する化粧品等としては、ネイルアート用薬剤、研磨剤、ネイル用栄養剤等がある。
【００２３】
サニタリー用薬剤としては、各種消毒剤、殺菌剤等がある。
【００２４】
これら化粧品、薬剤は、水溶液、エタノール等の溶剤溶液、水ー溶剤混合溶液、乳化物、懸濁物、水と油のような相分離しているもの、互いに反応しまたは不安定で各成分を１包装にできず分包しておき、使用時に混合し又は分包したものを混合することなく順次使用する形態のもの等がある。又、これらの化粧品、薬剤は、ハンドクリームのように高粘度のものから、水のように低粘度のものまである。
【００２５】
本発明に於いては、上記化粧品、薬剤を電気分解した後、直ちに、又は電気分解をしながら、被塗布対象にこれら化粧品等を供給するものである。
【００２６】
供給方法は、特に制限が無く、刷毛塗り、滴下、吹きつけ等の方法を例示できる。特に好ましい供給方法は、超音波振動を与えながら、噴霧して、被塗布対象に塗布する方法である。
【００２７】
以下、図面を参照しながら本発明の化粧品等の供給装置の一例につき説明する。この例に於いては、スキンケアを目的として、化粧水、薬剤を電気分解する例である。
【００２８】
図１中、１００は化粧品等の供給装置で、化粧品等の供給装置主体１０２と、前記化粧品等の供給装置主体１０２に取付けられた噴霧部１０４とからなる。
【００２９】
なお、図３に供給装置１００の斜視図を示した。
【００３０】
２は、略直方体状の化粧品等の供給装置主体１０２の筐体である。４は、前記筐体２内に収納された第１供給タンクで、その内部には化粧品等（本例に於いては油性のビタミンＥの水エマルジョン）が収納されている。
【００３１】
前記第１供給タンク４の下方には、圧送装置、例えばポンプ６が取付けられており、前記第１供給タンク４内に収納されている第１化粧品等は供給管８を通して前記ポンプ６に供給される。前記ポンプ６に供給された第１化粧品等は、次いでポンプ６により圧送されて送出管１０を通って電解槽１２に供給される。
【００３２】
同様に、第２供給タンク３２内に収納されている第２の化粧品等（本例に於いてはビタミンＣ水溶液）はポンプ７により圧送されて送出管１１を通って電解槽１２に供給される。
【００３３】
電解槽１２に供給された第１及び第２化粧品等の混合物は、電解槽１２内に流入し、電解槽１２内を上方に移動すると共に、陽極、陰極間に印荷されている電圧により電気分解される。
【００３４】
電解槽１２は、扁平な電解槽筐体内に、平行に配設された陽極、及び陰極を有する。この陽極、陰極に後述する制御部を介して、駆動電源４６の電力が供給される。電力は、直流電力であっても良いが、好ましくは、所定時間間隔で極性が切替わる交流又はパルス電力が好ましい。極性の切替えは２〜１２００回／分が好ましく、１２０〜６００回／分がより好ましい。
【００３５】
電解槽１２で電気分解された化粧品等の混合物は、電解槽に連結された流出管２６に送られる。流出管２６の前方には供給装置主体１０２に取付けられた噴霧部１０４がある。
【００３６】
噴霧部１０４の取付け方法としては、例えばスライドガイドや、係止突起等を用いる通常の嵌合手段が例示される。
【００３７】
図１に示すように、噴霧部１０４は、噴霧部本体３４と、その上部に取付けた噴霧部開閉カバー３６とで構成されている。
【００３８】
噴霧部開閉カバー３６は、前記流出管２６の先端に取付けられたノズル２７を覆うと共に、上下方向に摺動自在に前記噴霧部本体３４に取付けられている。前記噴霧部開閉カバー３６の供給装置主体１０２側には、カバー３６の上部から流出管２６にかけて、平板からなる吐出口開閉手段３８が垂設されており、流出管２６の先端のノズル２７は前記吐出口開閉手段３８に当接している。このため、ノズル２７の先端は閉塞され、化粧品等は漏出しない。
【００３９】
前記カバー３６の上部にはマグネット４０が取付けてあり、対応する供給装置主体１０２側に取付けたリードスイッチ４２と協働してカバー３６の位置を検出できるようになっている。
【００４０】
４４はマイクロプロセッサを組込んだ制御部で、この制御部の制御により、ポンプ６、７、電解槽１２等が制御され、またリードスイッチ４２の信号が取込まれる。４６は、制御部４４、ポンプ６、７、噴霧素子２８等に電力を供給する駆動電源である。駆動電源としては、一次電池、二次電池の何れも使用できる。
【００４１】
なお、４８は電解槽１２に電解電力を供給する配線、５４は駆動電源４６の電力を制御部４４に供給する配線、５０はリードスイッチ４２と制御部とを結ぶ信号線、５２、５３は制御部４４からポンプ６、７に制御された電力を供給する配線である。
【００４２】
また、５５は筐体２内壁に装着されたゴム等の弾性体からなるパッキングで、これにより防水構造を構成している。この防水構造により、化粧品等が供給装置主体１０２内部に侵入することを防いでいる。
【００４３】
次に、上記供給装置１００を用いて化粧品等を噴霧する場合につき説明する。
【００４４】
図２に示すように、先ずカバー３６を上方に引上げる。これにより、吐出口開閉手段３８も上方に移動し、流出管２６先端に設けられたノズル２７は閉塞状態から、開口状態になる。
【００４５】
一方、カバー３６に取付けられたマグネット４０も上方に移動され、リードスイッチ４２から離れる。この状態を検知した制御部４４は駆動電源４６の電力をポンプ６、７に供給し、これによりポンプ６が作動し、供給タンク４内の化粧品等は供給管８、ポンプ６、送出管１０を通って電解槽１２に送られる。
【００４６】
一方、第２タンク内の第２の化粧品等も同様にポンプ７により、供給管９を通り、電解槽１２に送られる。このようにして、第１、第２の化粧品等の混合物は電解槽１２に送られ、ここで電気分解された後、流出管２６を通ってノズル２７から外部に噴霧される。
【００４７】
化粧品等の噴霧が終り、噴霧を停止する際には、カバー３６を下方に押下げる。すると、マグネットがリードスイッチ４２に近づき信号線５０を通して信号が制御部に送られる。これによりポンプ６、７に供給される電力が切断され、化粧品等の噴霧が停止される。
【００４８】
上記例においては、リードスイッチ４２が噴霧動作のスイッチの役割を果しているが、これに限られず、電源スイッチを別途設け、カバー３６をあけた後電源スイッチを入れることにより噴霧が始まるように構成しても良い。この場合は、リードスイッチ４２と電源スイッチのアンド条件で噴霧が始まるようにすることにより、カバー３６を上に引上げていないときに、電源スイッチを入れても化粧品等は噴霧されず、誤操作による誤噴霧を確実に防止できる。なお、長期間本供給装置を使用している内に、化粧品等の噴霧不良を生じる場合がある。化粧品等の噴霧不良は、ノズル２７等に化粧品等が付着したまま乾燥して目詰りする等の原因により起きる。
【００４９】
噴霧不良を生じた場合は、噴霧部１０４を化粧水等の供給装置主体１０２から取外し、正常に噴霧する噴霧部と交換する。或は、装置の送出管、流出管等の内部を水道水で洗浄したり、又は専用の洗浄液を流出管、送出管に供給する等して噴霧不良を解決できる。
【００５０】
本例に於いては、化粧品等として、互いに溶け合わない油溶性のビタミンＥの水エマルジョンと水溶性のビタミンＣとからなる日焼止防止用薬剤を上記装置を用いて電気分解して噴霧している。この場合は、以下の機能が付加される。
【００５１】
即ち、エマルジョンを電気分解することによりビタミンＣの抗酸化力、浸透性が高められると共にビタミンＥエマルジョンの乳化が一層進行し、均一なエマルジョンが噴霧される。
【００５２】
また、化粧品又は薬剤を構成する成分が互いに反応したり、沈殿を形成する等の理由で、同一容器に収納できずに化粧品又は薬剤を２以上に分包してあり、使用時に混合するものである場合には、第１供給タンク、第２供給タンクに各成分を分離して収納しておき、使用時に混合して電気分解することができるので上記装置はこのような場合にも都合がよい。この場合、分包する成分の数に応じて供給装置の供給タンクの数を増やせばよい。
【００５３】
なお、本例においては噴霧部１０４を供給装置主体１０２に着脱できるように構成したがこれに限られず、例えば噴霧部１０４を筐体２内に組込み、筐体に固定してあっても良い。
【００５４】
また、本例に於いては電気分解した化粧品等はノズル２７の先端から外部に噴霧されたが、これに限られず、図４に示すように流出管２６の先端から液滴５８になって超音波振動している多孔板２８ａに供給され、ここで超音波振動を与えられると共に、更に多孔板２８ａに形成された微細貫通孔を通って多孔板２８ａの前方に噴霧されても良い。
【００５５】
噴霧素子２８は、多孔板２８ａとピエゾ振動子２８ｂとからなる。多孔板２８ａは、孔径１８〜２４μｍの貫通孔が多数形成されており、その端部が前記ピエゾ振動子２８ｂに連結して固定されている。従って、前記ピエゾ振動子２８ｂに交流やパルス電圧を印荷する事により、ピエゾ振動子２８ｂが振動し、これに伴い振動子２８ｂに固定された多孔板２８ａが振動する。これにより、流出管２６から供給される化粧品等の液滴５８は多孔板２８ａに形成された多数の貫通孔を通して外部に噴霧される。
【００５６】
この場合に於いては、比較的粘度の低い化粧水に超音波を与えて噴霧するようにしたが、高粘度のエマルジョン形態のクリーム等に超音波を与えて噴霧する場合は、多孔板の貫通孔の口径を大きくし、ピエゾ振動子に供給する電力及び周波数を高くしたり、また電解槽内の陽極陰極間の距離と印加される電力を適宜調節して行っても可能である。
【００５７】
また更に、前記第１供給タンク４、第２供給タンク３２は、図３に示すように、着脱自在のカートリッジ形式にしても良い。
【図面の簡単な説明】
【００５８】
【図１】本発明の化粧水又は薬剤の供給装置の一例を示す概略構成図である。
【図２】図１の化粧水又は薬剤の供給装置の噴霧状態を示す説明図である。
【図３】図１の化粧水又は薬剤の供給装置の概略斜視図である。
【図４】本発明の化粧水又は薬剤の供給装置の他の例を示す概略構成図である。
【符号の説明】
【００５９】
２    筐体
４    第１供給タンク
６、７    ポンプ
８    供給管
１０、１１    送出管
１２    電解槽
２６    流出管
２７    ノズル
２８    噴霧素子
２８ａ    多孔板
２８ｂ    ピエゾ振動子
３２    第２供給タンク
３４    噴霧部本体
３６    噴霧部開閉カバー
３８    吐出口開閉手段
４０    マグネット
４２    リードスイッチ
４４    制御部
４６    駆動電源
４８、５０、５２、５３、５４    配線
５０    信号線
５５    パッキング
５８    液滴
１００    化粧水又は薬剤の供給装置
１０２    化粧水又は薬剤の供給装置主体
１０４    噴霧部
【図１】
2005288009.tif 000002
【図２】
2005288009.tif 000003
【図３】
2005288009.tif 000004
【図４】
2005288009.tif 000005